(57)【要約】【課題】製造時における設定感度と現場設置後の検出感度にズレが発生しないようにする。【解決手段】発光素子３と受光素子４を搭載した光学台２に、光学台カバー２０を被せて検煙部Ｓを形成し、該該検煙部Ｓに感度設定部材用の装着部１１を設けた光電式煙感知器において；前記光学台カバー２０に、前記装着部１１に連通する挿入孔２２を設ける。【選択図】  図１
2006268737.tif 000002
【特許請求の範囲】
【請求項１】
発光素子と受光素子を搭載した光学台に、光学台カバーを被せて検煙部を形成し、該検煙部に感度設定部材の装着部を設けた光電式煙感知器において；
前記光学台又は光学台カバーに、前記装着部に連通する挿入孔を設けたことを特徴とする光電式煙感知器。
【請求項２】
挿入孔が、蓋部材により閉鎖されることを特徴とする請求項１記載の光電式煙感知器。
【請求項３】
蓋部材が、挿入孔に嵌着される栓状部材、又は、挿入孔の上面を覆うシート部材であることを特徴とする請求項１記載の光電式煙感知器。
【請求項４】
発光素子と受光素子を搭載した光学台に、光学台カバーを被せて検煙部を形成し、該検煙部に感度設定部材を装着して煙感度を調整する光電式煙感知器の感度調整方法において；
前記感度設定部材が、前記光学台又は光学台カバーに形成された、挿入孔から出し入れされることを特徴とする光電式煙感知器の感度調整方法。
【発明の詳細な説明】
【技術分野】
【０００１】
この発明は、火災報知設備等に設けられている光電式煙感知器及びその感度調整方法に関するものである。
【背景技術】
【０００２】
光電式煙感知器が所望の感度で火災を検出するためには、煙感度が正確に設定されている光電式煙感知器を用いなければならない。
従来は、この感度を次の様にして調整している（例えば、特許文献１、参照）。即ち、発光素子と受光素子を搭載した光学台に、光学台カバーを被せて検煙部を形成し、該検煙部内に感度設定部材用の装着部を設けるとともに、発光素子を発光させ、該装着部に、煙の存在する状態を擬制する感度設定部材を装着した場合とそれを装着しない場合における、受光素子の受光出力をそれぞれ検出し、その検出した受光出力に基づいて感度調整を行っている。
【０００３】
【特許文献１】特許第３３４３６８７号
【発明の開示】
【発明が解決しようとする課題】
【０００４】
従来例では、光学台と回路部品を実装した回路基板を組み込んだユニット部品に、試験治具、即ち、光学台カバーと同形状の試験用光学台カバーと感度設定部材とからなる治具、を装着して感度設定し、その後、試験治具を該ユニット部品から外し、光学台に光学台カバーを嵌着して製品（光電式煙感知器）としている。そのため、試験治具の模擬光学台カバーと製品の光学台カバーとは異なるので、製造時における設定感度と現場設置後の検出感度にズレが発生する可能性がある。よって、防止策としては、製品ロッド毎に試験治具は充分な品質管理を行っている。
【０００５】
この発明は、上記事情に鑑み、製造時における設定感度と現場設置後の検出感度にズレが発生しないようにすることを目的とする。
【課題を解決するための手段】
【０００６】
この発明は、発光素子と受光素子を搭載した光学台に、光学台カバーを被せて検煙部を形成し、該検煙部に感度設定部材用の装着部を設けた光電式煙感知器において；前記光学台又は光学台カバーに、前記装着部に連通する挿入孔を設けたことを特徴とする。
【０００７】
さらに、この発明の挿入孔が、蓋部材により閉鎖されることを特徴とする。そして、この発明の蓋部材が、挿入孔に嵌着される栓状部材、又は、挿入孔の上面を覆うシート部材であることを特徴とする。
【０００８】
又、この発明は、発光素子と受光素子を搭載した光学台に、光学台カバーを被せて検煙部を形成し、該検煙部に感度設定部材を装着して煙感度を調整する光電式煙感知器の感度調整方法において；前記感度設定部材が、前記光学台又は光学台カバーに形成された、挿入孔から出し入れされることを特徴とする。
【発明の効果】
【０００９】
この発明は、光学台、又は、光学台カバーに、挿入孔を設けたので、光学台と光学台カバーを製品と同一の状態に組み込んで、煙感度調整を行うことができる。従って、従来例と異なり、製造時における設定感度と現場設置後の検出感度にズレが発生しない。
【発明を実施するための最良の形態】
【００１０】
この発明の第１実施の形態を図１〜図８により説明する。
回路基板１には、光学台２が搭載されて、該光学台２には光学台カバー２０が被着されているが、前記両者２，２０により暗箱（検煙部）Ｓが構成されている。
【００１１】
光学台２の外周部には、発光素子３と受光素子４とラビリンス６が設けられている。発光素子３と受光素子４との間には、遮光子８が設けられ、該遮光子８とラビリンス６との間には、感度設定部材１０を設置するための装着部１１が設けられている。この装着部１１の両側には、一対の収納溝１２が設けられ、一方の収納溝１２は、前記遮光子８の内面に形成され、他方の収納溝１２は、前記遮光子の８の内面に対向している、ラビリンス６の内面に形成されている。この装着部１１は、感度設定部材１０を装着したとき、発光素子３と受光素子４の各光軸Ｌが交差する地点に位置できるように設計されている。
【００１２】
光学台カバー２０は、本体２０ａと、該本体２０ａの下面に突設された発光素子押さえ部２０ｂ、受光素子押さえ部２０ｃ、窓壁２０ｄとを備えている。本体２０ａの外周部には、前記光学台２の係止部２ａと係合する係合部２０ｅが設けられ、その中央部には、挿入孔２２が設けられている。この挿入孔２２は、大径部２２ａと、該大径部２２ａに連続する小径部２２ｂとを備えている。
【００１３】
この挿入孔２２に挿入される感度設定部材１０は、板状の本体部１０ａと、該本体部１０ａに連続する摘み部１０ｂとを備えている。この感度設定部材１０は、散乱透過板であり、発光素子３から放射される光を検煙部Ｓ内に煙が侵入した状態を擬制して散乱させるものである。この散乱透過板１０は、無色、又は、黒色のプラスチックやガラス等で形成された透過体であり、発光素子３から放射された光を透過するが、その中にはカーボン粒子等の反対粉体が混入されている。
【００１４】
光学台カバー２０の挿入孔２２には、感度設定護に蓋部材３０が設けられている。この蓋部材３０は栓状部材であり、挿入孔２２の大径部２２ａに嵌着される頭部３０ａと、前記小径部２２ｂに嵌着される本体部３０ｂと、を備えている。
【００１５】
次に、本実施の形態の作動について説明する。
感度設定部材１０を検煙部Ｓに設置する前に、検煙部Ｓに煙のない状態において、発光素子３を発光させると、検煙部（暗箱）Ｓの内面の散乱光がノイズ分として受光素子４に受光され、その受光出力を増幅器で増幅しアンプ出力ＮＯとする。
【００１６】
次に、感度設定部材１０の摘み部１０ｂを指で摘み、光学台カバー２０の挿入孔２２にその先端部を挿入し、収納溝１２に差し込み、図７の二点鎖線の状態にする。この時、摘み部１０ｂを摘むので、本体部１０ａが手垢などで汚れることはない。この状態で発光素子３を発光させると、感度設定部材１０による散乱量は、設定煙濃度と異なる任意の煙濃度になり、暗箱内面のノイズがカットされ、該感度設定部材１０で散乱した信号アンプ出力が得られる。
【００１７】
この信号アンプ出力と前記アンプ出力ＮＯ等に基づいて、設定したい煙濃度に調整するが、その具体的な調整の方法については、前記特許文献１に詳細に説明されているので、説明を省略する。
【００１８】
煙濃度調整後、感度設定部材１０の摘み部１０ｂを指で摘み、挿入孔２２から抜き出すとともに、該挿入孔２２に蓋部材３０を被せる。そのため、挿入孔２２は閉鎖されるので、検煙部Ｓ内にゴミなどが入ることがない。
この状態で、回路基板１を感知器本体４０に組み込んだ後、該感知器本体４０に保護カバー３４を被せて図８の状態にし、製品（光電式煙感知器）とする。
【００１９】
なお、図８において、３５は回路基板１を支持するホルダ、３６はホルダ３５を貫通し、回路基板１と刃金具３７とを連結固定する端子ねじ、３８は虫の侵入を防ぐ防虫網、３９はシールドケース、をそれぞれ示す。
【００２０】
この発明の第２実施の形態を図９により説明するが、図１〜図８と同一図面符号は、その名称も機能も同一である。
この実施の形態と前記第１実施の形態との相違点は、蓋部材として別個独立に形成したものを用いる代わりに、保護カバー３４と一体に形成した蓋部材３０Ａを用いることである。この実施の形態では保護カバー３４を感知器本体４０に嵌着すると、蓋部材３０Ａが挿入孔２２に嵌着されるので、組立作業の効率化を図ることができる。
【００２１】
この発明の第３実施の形態を図１０により説明するが、図１〜図８と同一図面符号は、その名称も機能も同一である。
この実施の形態と前記第１実施の形態との相違点は、蓋部材として板状の樹脂シート３０Ｂを用い、該樹脂シート３０Ｂを光学台カバー２０の上面に貼り付け、挿入孔２２を閉鎖することである。
【００２２】
なお、この蓋部材３０Ｂは、光学台カバー２０に貼り付ける代わりに、保護カバー３４の内面に貼り付け、挿入孔２２を閉鎖するようにしても良い。
【００２３】
この発明の実施の形態は、上記に限定されるものではなく、例えば、挿入孔を光学台カバーに設ける代わりに、光学台に設けても良い。
上記実施の形態では、１枚の感度設定部材を用いて感度調整する場合について説明したが、例えば、次のように複数の感度設定部材を用いて感度調整する場合にも本発明を用いることができることは勿論である。
【００２４】
即ち、認定煙濃度の異なる複数の標準光散乱透過板を準備し、設定されていると思われる煙濃度と等しい標準光散乱透過板を選んで検煙部に設定し、動作の有無を確かめ、もし動作していれば、煙濃度の低い状態と等しい標準光散乱透過板に換えて、動作の有無をチェックして煙感度を調整する。
【図面の簡単な説明】
【００２５】
【図１】本発明の第１実施の形態を示す図で、光学台カバーの平面図である。
【図２】図１のII−II線断面図である。
【図３】光学台の平面図である。
【図４】蓋部材の平面図である。
【図５】蓋部材の正面図である。
【図６】感度設定部材の正面図である。
【図７】光学台と光学台カバーを嵌着した状態を示す縦断面図である。
【図８】挿入孔に蓋部材を装着した状態の光電式煙感知器を示す縦断面図である。
【図９】本発明の第２実施の形態を示す縦断面図で、挿入孔を閉じた状態を示す要部拡大図である。
【図１０】本発明の第３実施の形態を示す縦断面図で、挿入孔を閉じた状態を示す要部拡大図である。
【符号の説明】
【００２６】
１    回路基板
２    光学台
３    発光素子
４    受光素子
６    ラビリンス
１０  感度設定部材
１１  装着部
１２  収納溝
２０  光学台カバー
２２  挿入孔
３０  蓋部材
Ｓ    検煙部
【図１】
2006268737.tif 000003
【図２】
2006268737.tif 000004
【図３】
2006268737.tif 000005
【図４】
2006268737.tif 000006
【図５】
2006268737.tif 000007
【図６】
2006268737.tif 000008
【図７】
2006268737.tif 000009
【図８】
2006268737.tif 000010
【図９】
2006268737.tif 000011
【図１０】
2006268737.tif 000012